(57)【要約】      （修正有）【課題】チャンバ内のメンテナンス時に効率よく作業できる船舶の摩擦抵抗低減装置を提供する。【解決手段】船舶の摩擦抵抗低減装置は、チャンバ１０と、気体の供給源である送気部と、複数の空気吹出孔３１とを有する。チャンバ１０は、船舶の船底１１０に設けられた複数の空気吹出孔３１に連通すると共に、送気部から気体が供給される空間である。チャンバ１０には、船舶の船底１１０に設けられた開口部１３０と、該開口部１３０に嵌合し、かつ固定された蓋部１４０とを有する【選択図】図３
2014189094.tif 000002
【特許請求の範囲】
【請求項１】
気体の供給源である送気部と、
船舶の内部の底部に設けられ、前記船舶の船底を貫通して設けられた複数の空気吹出孔と、
複数のロンジを跨いで設けられ、前記空気吹出孔に連通すると共に、前記送気部から気体が供給されるチャンバとを有し、
前記チャンバには、前記船舶の船底に設けられた開口部と、該開口部に嵌合し、かつ固定された前記空気吹出孔を有する蓋部とを有することを特徴とする船舶の摩擦抵抗低減装置。
【請求項２】
前記蓋部は、前記開口部の内方に突出して設けられた係止部に周縁部を重畳させて、該係止部に固定されたことを特徴とする請求項１に記載の船舶の摩擦抵抗低減装置。
【請求項３】
前記蓋部の前記チャンバ側の面には、前記送気部から前記チャンバに供給された気体を前記チャンバ内に拡散させるための拡散板が設けられたことを特徴とする請求項１又は２に記載の船舶の摩擦抵抗低減装置。
【発明の詳細な説明】
【技術分野】
【０００１】
本発明は、船舶の摩擦抵抗低減装置に関する。
【背景技術】
【０００２】
従来より、船舶においては、航行時に船舶の底面を気泡で覆うことにより、船舶の底面における摩擦を低減する船舶の摩擦抵抗低減装置が提案されている（例えば、特許文献１〜７参照）。
【先行技術文献】
【特許文献】
【０００３】
【特許文献１】特開２０１２−２１４０６１号公報
【特許文献２】特開２０１１−１０５１８５号公報
【特許文献３】特開平１０−１０９６８５号公報
【特許文献４】特開平１１−３０１５７０号公報
【特許文献５】特開平１１−２２７６７５号公報
【特許文献６】特開２０１０−０２３７６４号公報
【特許文献７】特開２０１３−１０３９４号公報
【発明の概要】
【発明が解決しようとする課題】
【０００４】
このような摩擦抵抗低減機構を備えた船舶においては、空気吹出孔に連通するチャンバ内を定期的にメンテナンス（点検、清掃、塗装）しないと、空気吹出の効果が低下する可能性があった。このようなチャンバ内のメンテナンス方法について、特許文献１〜５に記載の船舶の摩擦抵抗低減装置等には、特に記載されていないが、特許文献６において吹出孔金具（メンテナンス目的ではない）自体のフランジ部が保持プレートに固着されたことが記載されているのみである（同文献段落〔００２６〕及び図４参照）。
そして、特許文献７においては、ロンジ間に取り外し可能なチャンバを設けることで当該チャンバの内部のメンテナンスを行うことができる旨記載されている。
【０００５】
しかしながら、特許文献７に開示された構造を採用した場合、チャンバを取り外して当該チャンバ内をメンテナンスする必要があることから、作業自体が大がかりとなり、例えば、ドック内でチャンバ内のメンテナンスをする際、船底に相応のスペースを要するため、効率が悪い。また新造船及び既存船へ文献７に記載のチャンバを装着する際は、費用、工期とも掛かる欠点がある。
従って、本発明は上述の問題点に鑑みてなされたものであり、その目的は、チャンバ内のメンテナンス時に効率よく作業できる船舶の摩擦抵抗低減装置を提供することにある。
【課題を解決するための手段】
【０００６】
上記問題を解決するため、本発明のある船舶の摩擦抵抗低減装置は、気体の供給源である送気部と、
船舶の内部の底部に設けられ、上記船舶の船底を貫通して設けられた複数の空気吹出孔と、
複数のロンジを跨いで設けられ、上記空気吹出孔に連通すると共に、上記送気部から気体が供給されるチャンバとを有し、
上記チャンバには、上記船舶の船底に設けられた開口部と、該開口部に嵌合し、かつ固定された蓋部とを有する。この蓋部には、上記空気吹出孔が設けられている。
【０００７】
ここで、上記船舶の摩擦抵抗低減装置は、上記蓋部が、上記開口部の内側に突出して設けられた係止部に周縁部を重畳させて、該係止部に固定されてもよい。
また、上記船舶の摩擦抵抗低減装置は、上記前記蓋部の上記チャンバ側の面には、上記送気部から上記チャンバに供給された気体を上記チャンバ内に拡散させるための拡散板が設けられてもよい。
【発明の効果】
【０００８】
本発明の船舶の摩擦抵抗低減装置によれば、チャンバ内のメンテナンス時に効率よく作業できる船舶の摩擦抵抗低減装置を提供することができる。
【図面の簡単な説明】
【０００９】
【図１】本発明に係る船舶の摩擦抵抗低減装置のある実施形態における構成を示す平面図である。
【図２】本発明に係る船舶の摩擦抵抗低減装置のある実施形態における構成を示す側面概略図である。
【図３】本発明に係る船舶の摩擦抵抗低減装置のある実施形態における前側のチャンバの構成を示す図であり、（ａ）は底面図、（ｂ）は正面図、（ｃ）は平面図である。
【図４】本発明に係る船舶の摩擦抵抗低減装置のある実施形態における後側のチャンバの構成を示す図であり、（ａ）は底面図、（ｂ）は正面図である。
【図５】本発明に係る船舶の摩擦抵抗低減装置のある実施形態における蓋部の構成を示す図であり、（ａ）は平面図、（ｂ）は断面図である。
【発明を実施するための形態】
【００１０】
以下、本発明に係る船舶の摩擦抵抗低減装置の一実施形態について、図面を参照して説明する。なお、本実施形態の説明において、「正面図」は船舶の船首側から当該船舶を見た図を示す。
【００１１】
（船舶の摩擦抵抗低減装置の構造）
図１は、本実施形態の摩擦抵抗低減装置における構成を示す平面図であり、船首部における船底の形状に沿って摩擦抵抗低減装置が配置された構成を甲板側からみた模式図である。また、図２は、本実施形態の摩擦抵抗低減装置における構成を示す側面概略図である。また、図３は、本実施形態の摩擦抵抗低減装置における前側のチャンバ（１０Ａ，１０Ｂ）の構成を示す図であり、（ａ）は底面図（船底側から見た図）、（ｂ）は正面図（図３（ａ）の３ｂ矢視図）、（ｃ）は（船体内部における）平面図である。また、図４は、本実施形態の摩擦抵抗低減装置における後側のチャンバ（１０Ｃ，１０Ｄ）の構成を示す図であり、（ａ）は底面図（船底側から見た図）、（ｂ）は正面図（図４（ａ）の４ｂ矢視図）である。なお、図３（ｂ）及び図４（ｂ）に示すチャンバ１０Ａ〜１０Ｄのそれぞれの構成は、あくまでも一例であって、図３（ａ）及び図４（ａ）に示すチャンバ１０Ａ〜１０Ｄのそれぞれの配置に制限されるものではない。また、図５は、本実施形態の摩擦抵抗低減装置における蓋部の構成を示す図であり、（ａ）は平面図、（ｂ）は船底に設けた際の断面図である。
【００１２】
図１に示すように、船舶１００の上甲板の裏面や船側及び船底外板の内面には、例えば、船体の前後方向の補強材としてガーダー５０やロンジ６０（図３（ｂ）参照）が設けられている。また、ガーダー５０やロンジ６０と直交して、船体外板及び上甲板の補強材としてフレーム４０が設けられており、平面的に見ると格子状の骨組み構造になっている。そして、前後方向及び幅方向の補強材は、互いに貫き通され、外板内面に、又は補強材同士が溶接によって接合されている。
【００１３】
本実施形態の船舶の摩擦抵抗低減装置１は、船舶１００の船底１１０に複数設けられたチャンバ１０と、チャンバ１０内に空気を供給する送気部２０と、空気吹出孔３１（図３参照）と、船底１１０に形成された開口部１３０に嵌合固定された蓋部１４０とを有する。
【００１４】
＜チャンバ＞
チャンバ１０は、図１及び図２に示すように、船舶１００の内部の底部（船底）に設けられ、船底が当該チャンバ１０の底部を兼ねて仕切られた区画である。チャンバ１０は、船底に複数設けられ、例えば、船首前方から左右１対ずつ２箇所に当該船舶１００の船型に沿ってチャンバ１０Ａ，１０Ｂ，１０Ｃ，１０Ｄが設けられる。それぞれのチャンバ１０（１０Ａ，１０Ｂ,１０Ｃ，１０Ｄ）は複数のロンジ６０を跨いで（有して）設けられている。なお、図１では、チャンバ１０Ａ，１０Ｂ，１０Ｃ，１０Ｄをハッチング表示している。
【００１５】
＜送気部＞
送気部２０は、図１及び図２に示すように、空気を取り込むブロア２１と、このブロア２１と各チャンバ１０Ａ，１０Ｂ，１０Ｃ，１０Ｄとを連結して、図示しないモータによってブロア２１から取り込まれた空気を各チャンバ１０Ａ，１０Ｂ，１０Ｃ，１０Ｄに提供する供給管２２とを有する。例えば、供給管２２は、その一端部２２ａがブロア２１に連結され、他端部２２ｂが各チャンバ１０Ａ，１０Ｂ，１０Ｃ，１０Ｄ内に挿通されている。
このように構成された送気部２０は、図示しない制御部によって、上述のモータを駆動させてブロア２１による空気の供給先や、噴出量が制御される。
【００１６】
＜空気吹出孔＞
空気吹出孔３１は、チャンバ１０に供給された空気を船外（海中）に吹き出すために船底１１０を穿孔してなる貫通孔である。具体的に、空気吹出孔３１は、図３（ａ）及び図４（ａ）に示すように、複数の空気吹出孔３１（例えば３つ）が船舶１００の幅方向の軸に沿って前後方向に非対称の形状をなすと共に、船舶１００の幅方向の軸に沿って前後方向に互い違いの形状（ｚｉｇ−ｚａｇ形状）で繰り返して形成されることが好ましい。ここで、空気吹出孔３１は、例えば、図３（ａ）に示すように、三角形状をなす板状の空気吹出孔ユニット３０に３つずつ穿孔されて設けられてもよい。この空気吹出孔ユニット３０は、チャンバ１０と外部とを連通するように船底１１０を貫通した開口部に嵌合する板状の部材である。なお、図３（ａ）では、一部の空気吹出孔３１（図中左側の３つの空気吹出孔３１）のみ空気吹出孔ユニット３０に形成した態様を示している。
【００１７】
＜蓋部＞
蓋部１４０は、図３（ａ），（ｃ）及び図４（ａ）に示すように、船底の幅方向に、空気吹出孔３１と並ぶようにして少なくとも１つのチャンバ１０につき、１つ以上設けられ、チャンバ１０と外部とを連通するように船底１１０を貫通した開口部１３０に嵌合する板状の部材である。蓋部１４０には、上述した空気吹出孔３１が設けられている。また、図３（ｂ）及び図４（ｂ）に示すように、開口部１３０は、船舶１００のロンジ６０，６０間に設けられていることが好ましい。
【００１８】
なお、蓋部１４０の内側（チャンバ側）には、前述の拡散板７０が他端部２２ｂの開口部（チャンバ１０と供給管２２との連結部分）に対向するように設けられてもよい。また、拡散板７０は、空気吹出孔３１が設けられない蓋部１４０の内側（チャンバ側）に設けられてもよい。拡散板７０は例えば、円盤状をなして、他端部２２ｂの開口部との距離及び複数の空気吹出孔３１への気体の配分を勘案した長さに規定された脚部を介して蓋部１４０に固定されている。特に、拡散板７０の高さはロンジ６０の高さよりも高く設定されている。このため、他端部２２ｂの開口部から供給された気体が、ロンジ６０が邪魔になって均等性が妨げられることなく空気吹出孔３１から吹き出すことが可能となる。また、脚部はその平面面積が蓋部１４０の平面面積よりも小さいことが好ましい。面積の小さい脚部であることにより、メンテナンス時に邪魔になることなく作業が可能となる。拡散板７０は、他端部２２ｂの開口部がロンジ６０に対向する位置にある場合、図４（ｂ）に示すように、ロンジ６０上に設けられてもよい。
【００１９】
また、図５（ｂ）に示すように、蓋部１４０は、開口部１３０の内側に突出して設けられた係止部１３５に周縁部を重畳させて、該係止部１３５にボルト３２などで固定されることが好ましい。
さらに、開口部１３０の平面（開口）形状は、作業者がチャンバ１０内の作業に差し支えない形状であれば特に制限はなく、目的に応じて適宜選択され、例えば、頂点が円弧状とされた四角形状や円形状が採用される。なお、当該開口部１３０に設置される蓋部１４０に拡散板７０が設けられる場合の開口部１３０の平面（開口）形状は、拡散板７０の平面視の大きさより大きく設定される。
【００２０】
以上のような構成とすることにより、本実施形態の船舶の摩擦抵抗低減装置は、船底に着脱可能に設けられた蓋部を取り外すことによって、容易にチャンバ内に作業員が入り込むことができる。さらに、船舶が海上に係留中であれば潜水作業者により船底に潜り、蓋を外すことによりチャンバ内の点検がドックに入らなくても可能である。
よって、チャンバ内のメンテナンス時に効率よく作業できる船舶の摩擦抵抗低減装置を提供することができる。
以上、本発明の実施の形態について説明してきたが、本発明はこれに限定されずに、種々の変更、改良を行うことができる。
【符号の説明】
【００２１】
１  船舶の摩擦抵抗低減装置
１０（１０Ａ，１０Ｂ，１０Ｃ，１０Ｄ）  チャンバ
２０  送気部
３１  空気吹出孔
６０  ロンジ
１００  船舶
１１０  船底
１３０  開口部
１４０  蓋部
【図１】
2014189094.tif 000003
【図２】
2014189094.tif 000004
【図３】
2014189094.tif 000005
【図４】
2014189094.tif 000006
【図５】
2014189094.tif 000007
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
気体の供給源である送気部と、
船舶の内部の底部に設けられ、前記船舶の船底を貫通して設けられた複数の空気吹出孔と、
複数のロンジを跨いで設けられ、前記空気吹出孔に連通すると共に、前記送気部から気体が供給されるチャンバとを有し、
前記チャンバには、前記船舶の船底に設けられた開口部と、該開口部に嵌合し、かつ固定された前記空気吹出孔を有する蓋部とを有することを特徴とする船舶の摩擦抵抗低減装置。
【請求項２】
前記蓋部は、前記開口部の内側に突出して設けられた係止部に周縁部を重畳させて、該係止部に固定されたことを特徴とする請求項１に記載の船舶の摩擦抵抗低減装置。
【請求項３】
前記蓋部の前記チャンバ側の面には、前記送気部から前記チャンバに供給された気体を前記チャンバ内に拡散させるための拡散板が設けられたことを特徴とする請求項１又は２に記載の船舶の摩擦抵抗低減装置。
【手続補正２】
【補正対象書類名】明細書
【補正対象項目名】０００７
【補正方法】変更
【補正の内容】
【０００７】
ここで、上記船舶の摩擦抵抗低減装置は、上記蓋部が、上記開口部の内側に突出して設けられた係止部に周縁部を重畳させて、該係止部に固定されてもよい。
また、上記船舶の摩擦抵抗低減装置は、上記蓋部の上記チャンバ側の面には、上記送気部から上記チャンバに供給された気体を上記チャンバ内に拡散させるための拡散板が設けられてもよい。
【手続補正３】
【補正対象書類名】図面
【補正対象項目名】図５
【補正方法】変更
【補正の内容】
【図５】
2014189094.tif 000008